(57)【要約】【課題】ユーザが自分の携帯電話端末に割り当てられた電子メールアドレスを、相手の携帯電話番号を送付先として通知する電子メールアドレス通知システムを提供する。【解決手段】ユーザＡのアドレス帳２ｂに友人Ｂの端末８の携帯電話番号が登録されており、この端末８に、ユーザＡが所有する端末１に割り当てられた電子メールアドレスを通知する。友人Ｂの端末８に記憶されたアドレス帳８ｂにおいて、通知された電子メールアドレスが割り当てられた端末１の携帯電話番号が登録されていることを確認して、通知された電子メールアドレスを、端末１の携帯電話番号に関連付けて登録する。友人Ｂの端末８に割り当てられた電子メールアドレスを含むアドレス登録通知を返信し、ユーザＡの端末１に記憶されたアドレス帳において、友人Ｂの携帯電話番号に関連付けて電子メールアドレスを登録する。【選択図】図１
2008099006.tif 000002
【特許請求の範囲】
【請求項１】
第１のユーザのアドレス帳に第２のユーザが所有する第２の携帯電話端末の携帯電話番号が登録されており、前記第２の携帯電話端末に、前記第１のユーザが所有する第１の携帯電話端末に割り当てられた電子メールアドレスを通知する電子メールアドレス通知システムであって、
前記第２の携帯電話端末と同じ携帯電話網に属する代行携帯電話端末と、
該代行携帯電話端末の動作を制御する代行携帯電話端末制御サーバを有し、
該代行携帯電話端末制御サーバは、
前記第１の携帯電話端末の携帯電話番号、前記第１の携帯電話端末に割り当てられた電子メールアドレス、及び、前記第１のユーザのアドレス帳に登録されている第２の携帯電話端末の携帯電話番号を取得する取得手段と、
前記代行携帯電話端末に対し、前記第１の携帯電話端末の携帯電話番号と前記第１の携帯電話端末に割り当てられた電子メールアドレスとを本文に含み、前記代行携帯電話端末の携帯電話番号を送付元とし、前記第２の携帯電話端末の携帯電話番号を送付先とした電子メールを、前記第２の携帯電話端末が属する携帯電話網内のメッセージ・サービス・センタに送信させる制御手段を有する、
ことを特徴とする電子メールアドレス通知システム。
【請求項２】
前記第２の携帯電話端末は、
該第２の携帯電話端末が属する携帯電話網内のメッセージ・サービス・センタから電子メールを受信したときに、受信した電子メールに電子メールアドレスと該電子メールアドレスが割り当てられた端末の携帯電話番号とが含まれ、かつ、該電子メールアドレスが割り当てられた端末の携帯電話番号が当該第２の携帯電話端末に記憶されたアドレス帳に登録されている、という第１の条件を満足するか否かを判別する第１の判別手段と、
前記第１の条件を満足したときは、前記第２のユーザの登録許可操作を経て、前記受信した電子メールに含まれる電子メールアドレスを、前記受信した電子メールに含まれる該電子メールアドレスが割り当てられた端末の携帯電話番号に関連づけて、当該第２の携帯電話端末に記憶されたアドレス帳に登録する第１の登録手段、
を有することを特徴とする請求項１に記載の電子メールアドレス通知システム。
【請求項３】
前記第２の携帯電話端末が属する携帯電話網内のメッセージ・サービス・センタは、
該第２の携帯電話端末と同じ携帯電話網に属する代行携帯電話端末の携帯電話番号を予め記憶しており、
電子メールを受信したときに、受信した電子メールの送付元が前記代行携帯電話端末の携帯電話番号であり、かつ、前記受信した電子メールの本文に電子メールアドレスと携帯電話番号が含まれている、という第２の条件を満足するか否かを判別する第２の判別手段と、
前記第２の条件を満足したときは、前記受信した電子メールの送付元を、前記受信した電子メールの本文に含まれている携帯電話番号に書き替える編集手段と、
該編集手段により書き替えられた電子メールを前記第２の携帯電話端末に送信する送信手段、を有するものであり、
前記第１の判別手段は、当該第２の携帯電話端末が属する携帯電話網内のメッセージ・サービス・センタから電子メールを受信したときに、受信した電子メールの本文に電子メールアドレスが含まれ、かつ、前記受信した電子メールの送付元の携帯電話番号が当該第２の携帯電話端末に記憶されたアドレス帳に登録されている、という第１の条件を満足するか否かを判別し、
前記第１の登録手段は、前記第１の条件を満足したときは、前記第２のユーザの登録許可操作を経て、前記受信した電子メールの本文に含まれる電子メールアドレスを、前記受信した電子メールの送付元の携帯電話番号に関連づけて、当該第２の携帯電話端末に記憶されたアドレス帳に登録するものである、
ことを特徴とする請求項２に記載の電子メールアドレス通知システム。
【請求項４】
前記第２の携帯電話端末は、
該第２の携帯電話端末と同じ携帯電話網に属する代行携帯電話端末の携帯電話番号を予め記憶しており、
前記第１の判別手段は、当該第２の携帯電話端末が属する携帯電話網内のメッセージ・サービス・センタから電子メールを受信したときに、受信した電子メールの送付元が前記代行携帯電話端末の携帯電話番号であり、前記受信した電子メールの本文に、携帯電話番号と電子メールアドレスとが含まれており、かつ、該携帯電話番号が当該第２の携帯電話端末に記憶されたアドレス帳に登録されている、という第１の条件を満足するか否かを判別するものであり、
前記第１の登録手段は、前記第１の条件を満足したときは、前記第２のユーザの登録許可操作を経て、前記受信した電子メールの本文に含まれる電子メールアドレスを、前記受信した電子メールの本文に含まれる携帯電話番号に関連づけて、当該第２の携帯電話端末に記憶されたアドレス帳に登録するものである、
ことを特徴とする請求項２に記載の電子メールアドレス通知システム。
【請求項５】
前記代行携帯電話端末制御サーバが前記代行携帯電話端末を制御して、前記代行携帯電話端末に送信させる電子メールは、前記第１の携帯電話端末の携帯電話番号と前記第１の携帯電話端末に割り当てられた電子メールアドレスとに加えて、返信先アドレスを本文に含むものであり、
前記第２の携帯電話端末は、
前記第１の登録手段が、前記受信した電子メールに含まれる電子メールアドレスを、当該第２の携帯電話端末に記憶されたアドレス帳に登録したとき、前記第２のユーザの登録通知許可操作を経て、前記第１の携帯電話端末に割り当てられた電子メールアドレスを通知する電子メールに対する前記第２の携帯電話端末からの返信であることが特定される特定データを含み、前記第２の携帯電話端末に割り当てられた電子メールアドレスを送付元とする電子メールを、前記返信先アドレスを宛先として送信する送信手段を有し、
前記代行携帯電話端末制御サーバは、
前記返信先アドレスに受信された電子メールが、前記特定データを含み、かつ、該受信された電子メールの送付元が電子メールアドレスである、という第３の条件を満足するか否かを判定する第３の判別手段と、
前記第３の条件を満足したときは、前記返信先アドレスに受信された電子メールを保存する保存手段と、
前記保存手段に保存された前記返信先アドレスに受信された電子メールに基づいて、当該第１の携帯電話端末に割り当てられた電子メールアドレスを通知した相手先の第２の携帯電話端末から前記返信先アドレスに受信された電子メールに含まれた、送付元の電子メールアドレスを取得し、該送付元の電子メールアドレスを、前記第２の携帯電話端末の携帯電話番号に関連づけて、前記第１のユーザのアドレス帳に登録する第２の登録手段、を有する、
ことを特徴とする、請求項１から４までのいずれか１項に記載の電子メールアドレス通知システム。
【請求項６】
前記特定データは、前記第１の携帯電話端末の携帯電話番号及び前記第２の携帯電話端末の携帯電話番号である、
ことを特徴とする請求項５に記載の電子メールアドレス通知システム。
【請求項７】
前記第１のユーザのアドレス帳は、前記第１のユーザが契約していた携帯電話事業者の携帯電話網に属する第３の携帯電話端末に記憶されていたものであり、前記第１の携帯電話端末は、前記第１のユーザが、新たに契約した携帯電話事業者の携帯電話網に属するものであって、携帯電話番号が前記第３の携帯電話端末から移行されたものである、
ことを特徴とする、請求項１から６までのいずれか１項に記載の電子メールアドレス通知システム。
【発明の詳細な説明】
【技術分野】
【０００１】
本発明は、同一の携帯電話通信事業者の携帯電話網において可能である、携帯電話番号を送付先とした電子メールを用いて、電子メールアドレスを通知するシステムに関するものである。
【背景技術】
【０００２】
携帯電話網において、携帯電話番号ポータビリティ（MNP）制度が近々実施されようとしている。
この制度は、携帯電話のユーザが、ある携帯電話事業者（以下、キャリアという）との契約を解除し、別のキャリアに契約を変更した場合も、元のキャリアの携帯電話端末で使用していた携帯電話番号を、新たなキャリアの携帯電話端末の携帯電話番号として使用できる制度である。
しかし、元のキャリアから元の携帯電話端末に割り当てられていた電子メールアドレス（Ｅメールアドレス）については、ドメイン名が変更されるため、新たなキャリアの携帯電話端末に割り当てて使用することができない。
そのため、新しいキャリアに契約変更したとき、ユーザは、元の携帯電話端末のアドレス帳に登録している友人等に対し、電子メールアドレスを変更したことを通知する必要がある。
【０００３】
しかし、ユーザが契約していた元のキャリアと契約していた友人に、電子メールアドレスを通知しようとしたときに、直ちに次のような問題が発生する。
同一キャリアと契約している友人等との間で電子メールを送受信する場合は、相手の携帯電話番号を送付先としている場合が多い。そのため、友人の電子メールアドレスはアドレス帳に登録していない場合が多い。
ところが、このように携帯電話番号を送付先とすることが可能なのは、原則として、送付元のユーザと送付先のユーザとが同じキャリアと契約していて、同じ携帯電話網に属している場合に限られる。
そのため、新しいキャリアと契約した後は、引き続き元のキャリアと契約している友人に、電子メールアドレスを通知できないし、当然、友人との間で電子メールを送受信することもできなくなる。
【０００４】
一方、友人の電子メールアドレスを自身のアドレス帳に登録していた場合は、新たなキャリアから割り当てられた電子メールアドレスを送付元とし、友人の電子メールアドレスを送付先として、従来からよく行われているアドレス通知（特許文献１，２参照）を送信すればよい。
しかし、送付先の友人が、新着メールのお知らせを受けて受信メールのリスト画面を見たとき、アドレス通知の送付元が、変更後の新しい電子メールアドレスであるため、自分の携帯電話端末のアドレス帳に登録されていないため、アドレス通知の内容を確認しないで消去する可能性が高い。
また、近年の迷惑メール防止策として、送付元が電子メールアドレスであるとき、あるいは特定のドメイン名であるときに、一律に受信を拒否している場合がある。この場合、変更後の新しい電子メールアドレスを送付元としたアドレス通知は、受信拒否されるおそれがある。
【０００５】
従って、ユーザは、友人の携帯電話端末に電話をかけて、自分の新しい電子メールアドレスを教えるとともに、友人の電子メールアドレスを教えてもらうしかない。そのため、ユーザも友人も、互いの電子メールアドレスを相手のアドレス帳に登録する作業が非常に面倒である。
このように、電子メールアドレスを通知したり、相手の電子メールアドレスを取得したりすることが必要となるのは、必ずしも契約するキャリアを変更したときに限られない。例えば、携帯電話端末はそのままで電子メールアドレスを変更する場合にも必要である。
【特許文献１】特開２００２−１３５３９６号公報
【特許文献２】特開２００５−１３６９２５号公報
【発明の開示】
【発明が解決しようとする課題】
【０００６】
本発明は、上述した問題点を解決するためになされたもので、ユーザが自分の携帯電話端末に割り当てられた電子メールアドレスを、相手の携帯電話番号を送付先として通知する電子メールアドレス通知システムを提供することを目的とするものである。
【課題を解決するための手段】
【０００７】
請求項１に記載の発明においては、第１のユーザのアドレス帳に第２のユーザが所有する第２の携帯電話端末の携帯電話番号が登録されており、前記第２の携帯電話端末に、前記第１のユーザが所有する第１の携帯電話端末に割り当てられた電子メールアドレスを通知する電子メールアドレス通知システムであって、前記第２の携帯電話端末と同じ携帯電話網に属する代行携帯電話端末と、該代行携帯電話端末の動作を制御する代行携帯電話端末制御サーバを有し、該代行携帯電話端末制御サーバは、前記第１の携帯電話端末の携帯電話番号、前記第１の携帯電話端末に割り当てられた電子メールアドレス、及び、前記第１のユーザのアドレス帳に登録されている第２の携帯電話端末の携帯電話番号を取得する取得手段と、前記代行携帯電話端末に対し、前記第１の携帯電話端末の携帯電話番号と前記第１の携帯電話端末に割り当てられた電子メールアドレスとを本文に含み、前記代行携帯電話端末の携帯電話番号を送付元とし、前記第２の携帯電話端末の携帯電話番号を送付先とした電子メールを、前記第２の携帯電話端末が属する携帯電話網内のメッセージ・サービス・センタに送信させる制御手段を有するものである。
従って、第１のユーザが自身の第１の携帯電話端末に割り当てられた電子メールアドレスを相手の第２の携帯電話端末に通知したいときに、この第２の携帯電話端末に割り当てられた電子メールアドレスを知らなくても通知することができる。
上述した取得手段は、第１の携帯電話端末から、直接に、あるいは、登録パーソナルコンピュータを介するなどして間接的に、前記第１の携帯電話端末の携帯電話番号、前記第１の携帯電話端末に割り当てられた電子メールアドレス、及び、前記第１のユーザのアドレス帳に登録されている第２の携帯電話端末の携帯電話番号を取得することができる。
【０００８】
請求項２に記載の発明においては、請求項１に記載の電子メールアドレス通知システムにおいて、前記第２の携帯電話端末は、該第２の携帯電話端末が属する携帯電話網内のメッセージ・サービス・センタから電子メールを受信したときに、受信した電子メールに電子メールアドレスと該電子メールアドレスが割り当てられた端末の携帯電話番号とが含まれ、かつ、該電子メールアドレスが割り当てられた端末の携帯電話番号が当該第２の携帯電話端末に記憶されたアドレス帳に登録されている、という第１の条件を満足するか否かを判別する第１の判別手段と、前記第１の条件を満足したときは、前記第２のユーザの登録許可操作を経て、前記受信した電子メールに含まれる電子メールアドレスを、前記受信した電子メールに含まれる該電子メールアドレスが割り当てられた端末の携帯電話番号に関連づけて、当該第２の携帯電話端末に記憶されたアドレス帳に登録する第１の登録手段を有するものである。
従って、受信した電子メールに電子メールアドレスとともに、該電子メールアドレスが割り当てられた端末の携帯電話番号が、第２の携帯電話端末に記憶されたアドレス帳に登録されていることを条件として、受信した電子メールに含まれている電子メールアドレスを、この登録されている携帯電話番号に関連づけて登録することになる。
その結果、第２の携帯電話端末に記憶されたアドレス帳に、交友関係のない見知らぬユーザの電子メールアドレスが不用意に登録されるおそれがない。
登録前において、この登録されている携帯電話番号に関連づけられた電子メールアドレスが未登録であった場合を含む。登録前において、この登録されている携帯電話番号に関連づけて電子メールアドレスが登録済みであった場合は電子メールアドレスが書き替えられる。
【０００９】
請求項３に記載の発明においては、請求項２に記載の電子メールアドレス通知システムにおいて、前記第２の携帯電話端末が属する携帯電話網内のメッセージ・サービス・センタは、該第２の携帯電話端末と同じ携帯電話網に属する代行携帯電話端末の携帯電話番号を予め記憶しており、電子メールを受信したときに、受信した電子メールの送付元が前記代行携帯電話端末の携帯電話番号であり、かつ、前記受信した電子メールの本文に電子メールアドレスと携帯電話番号が含まれている、という第２の条件を満足するか否かを判別する第２の判別手段と、前記第２の条件を満足したときは、前記受信した電子メールの送付元を、前記受信した電子メールの本文に含まれている携帯電話番号に書き替える編集手段と、該編集手段により書き替えられた電子メールを前記第２の携帯電話端末に送信する送信手段、を有するものであり、前記第１の判別手段は、当該第２の携帯電話端末が属する携帯電話網内のメッセージ・サービス・センタから電子メールを受信したときに、受信した電子メールの本文に電子メールアドレスが含まれ、かつ、前記受信した電子メールの送付元の携帯電話番号が当該第２の携帯電話端末に記憶されたアドレス帳に登録されている、という第１の条件を満足するか否かを判別し、前記第１の登録手段は、前記第１の条件を満足したときは、前記第２のユーザの登録許可操作を経て、前記受信した電子メールの本文に含まれる電子メールアドレスを、前記受信した電子メールの送付元の携帯電話番号に関連づけて、当該第２の携帯電話端末に記憶されたアドレス帳に登録するものである。
従って、相手の第２の携帯電話端末では、受信した電子メールに電子メールアドレスとともに含まれている、該電子メールアドレスが割り当てられた端末の携帯電話番号を、電子メールの送付元を判別するという簡単な処理で検出することができる。
【００１０】
請求項４に記載の発明においては、請求項２に記載の電子メールアドレス通知システムにおいて、前記第２の携帯電話端末は、該第２の携帯電話端末と同じ携帯電話網に属する代行携帯電話端末の携帯電話番号を予め記憶しており、前記第１の判別手段は、当該第２の携帯電話端末が属する携帯電話網内のメッセージ・サービス・センタから電子メールを受信したときに、受信した電子メールの送付元が前記代行携帯電話端末の携帯電話番号であり、前記受信した電子メールの本文に、携帯電話番号と電子メールアドレスとが含まれており、かつ、該携帯電話番号が当該第２の携帯電話端末に記憶されたアドレス帳に登録されている、という第１の条件を満足するか否かを判別するものであり、前記第１の登録手段は、前記第１の条件を満足したときは、前記第２のユーザの登録許可操作を経て、前記受信した電子メールの本文に含まれる電子メールアドレスを、前記受信した電子メールの本文に含まれる携帯電話番号に関連づけて、当該第２の携帯電話端末に記憶されたアドレス帳に登録するものである。
従って、第２の携帯電話端末が属する携帯電話網内のメッセージ・サービス・センタは編集処理が不要であり、従来通りの処理を行えばよい。
相手の第２の携帯電話端末では、受信した電子メールに電子メールアドレスとともに含まれている、該電子メールアドレスが割り当てられた端末の携帯電話番号を、電子メールの本文の中から取得するという処理で検出することができる。
【００１１】
請求項５に記載の発明においては、請求項２から４までのいずれか１項に記載の電子メールアドレス通知システムにおいて、前記代行携帯電話端末制御サーバが前記代行携帯電話端末を制御して、前記代行携帯電話端末に送信させる電子メールは、前記第１の携帯電話端末の携帯電話番号と前記第１の携帯電話端末に割り当てられた電子メールアドレスとに加えて、返信先アドレスを本文に含むものであり、前記第２の携帯電話端末は、前記第１の登録手段が、前記受信した電子メールに含まれる電子メールアドレスを、当該第２の携帯電話端末に記憶されたアドレス帳に登録したとき、前記第２のユーザの登録通知許可操作を経て、前記第１の携帯電話端末に割り当てられた電子メールアドレスを通知する電子メールに対する前記第２の携帯電話端末からの返信であることが特定される特定データを含み、前記第２の携帯電話端末に割り当てられた電子メールアドレスを送付元とする電子メールを、前記返信先アドレスを宛先として送信する送信手段を有し、前記代行携帯電話端末制御サーバは、前記返信先アドレスに受信された電子メールが、前記特定データを含み、かつ、該受信された電子メールの送付元が電子メールアドレスである、という第３の条件を満足するか否かを判定する第３の判別手段と、前記第３の条件を満足したときは、前記返信先アドレスに受信された電子メールを保存する保存手段と、前記保存手段に保存された前記返信先アドレスに受信された電子メールに基づいて、当該第１の携帯電話端末に割り当てられた電子メールアドレスを通知した相手先の第２の携帯電話端末から前記返信先アドレスに受信された電子メールに含まれた、送付元の電子メールアドレスを取得し、該送付元の電子メールアドレスを、前記第２の携帯電話端末の携帯電話番号に関連づけて、前記第１のユーザのアドレス帳に登録する第２の登録手段、を有するものである。
従って、第１の携帯電話端末は、前記代行携帯電話端末制御サーバから、直接に、あるいは、登録パーソナルコンピュータを介するなどして間接的に、自身の端末に割り当てられたアドレス通知をした相手先の第２の携帯電話端末の電子メールアドレスが登録されたアドレス帳を取得することができる。
従って、第１の携帯電話端末に記憶されたアドレス帳に、交友関係のない見知らぬユーザの電子メールアドレスが不用意に登録されるおそれがない。
また、第２の携帯電話端末のユーザが、第１の携帯電話端末のユーザに対しては意図的にアドレス登録通知を送らず、他のユーザに対してはアドレス登録通知を送るような場合には、第２の携帯電話端末のユーザの意図通りに、第１のユーザのアドレス帳には第２の携帯電話端末の電子メールアドレスが登録されない。
この登録前において、第２の携帯電話端末の携帯電話番号に関連づけられた電子メールアドレスが未登録であった場合を含む。この登録前において、第２の携帯電話端末の携帯電話番号に関連づけて電子メールアドレスが登録済みであった場合は電子メールアドレスが書き替えられる。
【００１２】
請求項６に記載の発明においては、請求項５に記載の電子メールアドレス通知システムにおいて、前記特定データは、前記第１の携帯電話端末の携帯電話番号及び前記第２の携帯電話端末の携帯電話番号である。
従って、第１のユーザがアドレス通知をした電子メールに対する返信であることを簡単に判別することができる。
【００１３】
請求項７に記載の発明においては、請求項１から６までのいずれか１項に記載の電子メールアドレス通知システムにおいて、前記第１のユーザのアドレス帳は、前記第１のユーザが契約していた携帯電話事業者の携帯電話網に属する第３の携帯電話端末に記憶されていたものであり、前記第１の携帯電話端末は、前記第１のユーザが、新たに契約した携帯電話事業者の携帯電話網に属するものであって、携帯電話番号が前記第３の携帯電話端末から移行されたものである。
携帯電話番号のポータビリティ制度等の導入に伴い、契約するキャリアを変更するケースにおいて、相手の携帯電話端末に割り当てられたメールアドレスを知らない場合でも、変更後のキャリアから与えられた新しい電子メールアドレスを相手に通知することができる。
さらには、第１の携帯電話端末に記憶されたアドレス帳に、相手側の携帯電話端末に割り当てられた電子メールアドレスを登録することができる。
その結果、第１のユーザと相手とが異なるキャリアに契約している事態になった後でも、これまで通り、アドレス帳を利用して互いに電子メールを送ることができる。
【発明の効果】
【００１４】
本発明によれば、ユーザが自分の電子メールアドレスを、相手の電子メールアドレスを知らなくても通知できるという効果がある。
さらに、通知された相手先の携帯電話端末のアドレス帳において、通知をしたユーザの携帯電話番号を用いて送付元を確認し、通知をした携帯電話番号に関連付けて電子メールアドレスを登録することができる。
さらに、通知をしたユーザの携帯電話端末のアドレス帳において、通知した相手の携帯電話番号に関連付けて電子メールアドレスを登録することができる。
その結果、携帯電話端末を替えることなく電子メールアドレスを変更した場合や、携帯電話番号のポータビリティ制度の導入等に伴い、契約するキャリアを変更して携帯電話端末を替えた場合でも、これまで通り、電子メールを利用することができる。
【発明を実施するための最良の形態】
【００１５】
図１は、本発明の実施の一形態の概要を説明するブロック構成図である。
ユーザＡ（第１のユーザ）のアドレス帳２ｂに友人Ｂ（第２のユーザ）が所有する端末（第２の携帯電話端末）８の携帯電話番号が登録されており、この端末８に、ユーザＡが所有する端末（第１の携帯電話端末）１に割り当てられた電子メールアドレスを通知する電子メールアドレス通知システムである。
アドレス帳は、ユーザＡが電話をかけたり電子メールを送ったりする複数の相手先の名前（オーナー名）、電話番号（携帯電話番号及び又は固定電話番号）、電子メールアドレス等のデータを相互に関連づけて記憶しているデータベースである。
【００１６】
ユーザＡが、第１のキャリアから、第ｋのキャリアに契約を変更し、その際、携帯電話番号のポータビリティ制度の導入に伴い、以前の携帯電話番号がそのまま引き継がれて移行される場合に、電子メールアドレスを通知する場合について説明する。
加えて、友人Ｂの端末８に記憶されたアドレス帳８ｂにおいて、通知された電子メールアドレスが割り当てられた端末１の携帯電話番号が登録されていることを確認して、通知された電子メールアドレスを、端末１の携帯電話番号に関連付けて登録したり、さらに、友人Ｂの端末８に割り当てられた電子メールアドレスを含むアドレス登録通知を返信し、ユーザＡの端末１に記憶されたアドレス帳において、友人Ｂの携帯電話番号に関連付けて電子メールアドレスを登録したりする。
【００１７】
端末（第３の携帯電話端末）２は、ユーザＡが契約していた第１携帯電話事業者の第１携帯電話網用の端末である。２ａは、この端末２のメモリに記憶されたオーナー情報（プロフィール）であって、端末２の携帯電話番号（図示の例では、「08012341111」）、携帯電話端末１に割り当てられた電子メールアドレス（図示の例では、「aaa@11…1.ne.jp」）等が記憶されている。２ｂは、端末２のメモリに記憶されたアドレス帳である。
【００１８】
端末（第１の携帯電話端末）１は、ユーザＡが、新たに契約した第ｋ携帯電話事業者の第ｋ携帯電話網用の端末である。
１ａは端末１のオーナー情報であって、端末１の携帯電話番号（図示の例では、「08012341111」）、及び、端末１に割り当てられた電子メールアドレス（図示の例では、「aaa@kk…k.ne.jp」）である。端末２の携帯電話番号は端末１に移される。このオーナー情報１ａは、端末１のメモリに記憶されることになる。
１ｂは、友人Ｂの端末８からアドレス登録通知を受けて、端末８に割り当てられた電子メールアドレスが登録され、端末１のメモリに記憶されることになるアドレス帳である。
【００１９】
３は代行端末（代行携帯電話端末）４の動作を制御する代行端末制御サーバ（代行携帯端末制御サーバ）である。この代行端末制御サーバ３は、インターネットに接続されたサーバである。代行端末制御サーバ３のURLは、「http://….ne.jp」であるとして説明する。
代行端末４は、図示の例では、アドレスを通知しようとする友人Ｂの端末８が属する第１携帯電話網５に属するものである。
しかし、ユーザＡのアドレス帳２に登録されている複数の相手先端末の中には、第１携帯電話網５とは異なる携帯電話網に属する場合もある。従って、代行端末は、複数の各キャリアの携帯電話網別に用意されている。
【００２０】
６は、第１携帯電話網５のショート・メッセージ・サービス・センタ（Short Message Service Center、以下単にSMSCと呼ぶ）である。SMSC６はショート・メッセージを取り扱う。
ショート・メッセージは、SMSC６を経由して、電子メールが送付先の携帯電話端末に送信される。
ショート・メッセージは、第１携帯電話網５内を、通常の電子メールとは異なる通信方式（No.7共通線信号方式）で送られる短文のテキストメッセージであって、本出願人の携帯電話網においては、「スカイメール」という名称で提供されている。
【００２１】
一方、本出願人の携帯電話網に属する端末から電子メール・サーバのメール・ボックスに宛てて送信する通常の電子メールは、「スーパーメール」という名称で提供されている。
この他、電子メール・サーバを経由しないで、Webサーバにメッセージを送信する場合もある。
本明細書では、通常の電子メールにショート・メッセージやWebサーバに宛てるメッセージを含めて電子メールと呼ぶ。
【００２２】
ショート・メッセージは、電子メールの送付先として、送付先の携帯電話端末の携帯電話番号又は電子メールアドレスを用いることができる。ただし、送付元と送付先とが同じキャリアの同一携帯電話網に属するの携帯電話端末である場合に限られる。
なお、このショート・メッセージは、通常の電子メールが電子メール・サーバ内にあるユーザのメール・ボックスに受信されたとき、テキストの最初の部分を送付先の端末に送信するためにも使用される。
【００２３】
７はゲートウエイ（GW）であって、第１の携帯電話網とインターネットとの間を相互に接続する。上述した代行端末制御サーバ３は、ゲートウエイ７により第１の携帯電話網５と接続されている。
【００２４】
友人Ｂの端末（第２の携帯電話端末）８に記憶されたオーナー情報８ａとして、端末８の携帯電話番号（図示の例では、「08012365555」）、端末８に割り当てられた電子メールアドレス（図示の例では、「bbb@11…1.ne.jp」）等が記憶されている。
端末８にはアドレス帳８ｂも記憶されている。アドレス帳８ｂ’は、アドレス通知により、端末１のユーザ名Ａや携帯電話番号に関連付けて電子メールアドレスが登録された後のアドレス帳を示す。
【００２５】
代行端末制御サーバ３は、ユーザＡのアドレス帳２に登録されている友人Ｂの端末８の携帯電話番号「08012345555」と、ユーザＡの端末１及び端末２の携帯電話番号「0801234111」と、ユーザＡの端末１に割り当てられた電子メールアドレス「xxx@kk…k.ne.jp」とを取得する。なお、アドレス通知をする相手先は携帯電話端末であるから、アドレス帳２に登録されている固定電話番号は無視する。
【００２６】
具体的な取得方法としては、ユーザＡの端末２に記憶されたアドレス帳２ｂのデータを、この端末２に接続したケーブルを介して、図示しないパーソナルコンピュータ（図７に示した具体例では、登録パソコン１０２）に転送したり、ユーザＡの端末２に挿入されたメモリカードにコピーしてパーソナルコンピュータにロードしたりする。
【００２７】
その上で、このパーソナルコンピュータから代行端末制御サーバ３にアクセスし、ユーザＡのアドレス帳２を一括して代行端末制御サーバ３にロードする。
又は、パーソナルコンピュータに記憶されたアドレス帳をディスプレイに表示し、アドレス帳に登録されている多数の友人の中から、ユーザが、通知をしたい友人の携帯電話番号を一つずつ選択し、パーソナルコンピュータから、代行端末制御サーバ３にロードしたりしてもよい。
【００２８】
この他の具体的方法としては、アドレス帳２ｂをアドレス帳１ｂにコピーし、アドレス帳１ｂに登録されている多数の友人の中から、ユーザが、通知をしたい友人の携帯電話番号を一つずつ選択し、端末１から、代行端末制御サーバ３に直接にアクセスし、代行端末制御サーバ３にロードしてもよい。
【００２９】
代行端末制御サーバ３は、友人Ｂの端末８と同じ第１の携帯電話網５に属する代行端末４に対し、端末１の携帯電話番号「0801234111」と端末１に割り当てられた電子メールアドレス「xxx@kk…k.ne.jp」とを本文に含み、代行端末４の携帯電話番号「08012352222」を送付元とし、友人Ｂの端末８の携帯電話番号「08012365555」を送付先とした電子メールを、端末８が属している第１の携帯電話網５内のSMSC６に送信させる。
このショート・メッセージの作成は、代行端末制御サーバ３が行えばよい。
【００３０】
図２は、図１に示した実施の形態において、アドレスを通知する電子メールの内容を示す説明図である。
図２（ａ）は、代行端末４が友人Ｂの端末８を送付先として送信する電子メール（ショート・メッセージ）１１の内容である。
説明図であるため、実際に送信される電子メールのデータそのものではない。
送付元（From:）として、代行端末４の携帯電話番号「08012352222」が記載され、送付先（To:）として、友人Ｂの端末８の携帯電話番号「08012365555」が記載される。
【００３１】
電子メールの本文には、図示のような、アドレスの変更を通知し、電子メールアドレスの登録を依頼する文章中に、ユーザＡの端末１の携帯電話番号「08012341111」と、この端末１に割り当てられた電子メールアドレス「xxx@kk…k.ne.jp」とが含まれている。
また、後述する電子メールアドレスの相互交換を実現するために、本文には、代行端末制御サーバ３に返信メッセージを送信するために、宛先のアドレスとして、代行端末制御サーバ３のURL（Uniform Resource Locators）「http://….ne.jp」が含まれている。
【００３２】
上述した代行端末４を実現するには、種々の方法がある。
第１の方法として、代行端末４として、通常の携帯電話端末を使用し、この操作ボタンのそれぞれを、人の指に代わって押すことができる電動アクチュエータを備えた操作装置を製作する。この操作装置に代行端末制御サーバ３を接続し、電動アクチュエータの押圧操作を、代行端末制御サーバ３により制御する。
【００３３】
また、携帯電話端末の機種によっては、そのコネクタにケーブル接続された外部キーボードやコンピュータ側から、携帯電話端末のキー操作と同様の制御をしたり、携帯電話端末の一部の機能を制御したり、電子メールを作成したりすることができるものがある。
従って、第２の方法としては、このようなことができる携帯電話端末を代行端末４として代行端末制御サーバ３を接続し、電子メールを代行端末４に入力したり、携帯電話端末から電子メールの発信を制御したりすることができる。
【００３４】
いずれの場合でも、ショート・メッセージ１１を送信するに先立ち、代行端末４は、電子メールの種類として「ショート・メッセージ」を選択し、送付先のタイプとして「携帯電話」を選択しておく。送付先の携帯電話番号を、代行端末４に記憶されているアドレス帳に、予め、送付先の携帯電話番号リストを代行端末制御サーバ３から転送しておき、アドレス帳から送付先の携帯電話番号を逐次読み出してもよい。
【００３５】
代行端末４が送信したショート・メッセージ１１は、SMSC６で受信される。
ここで、SMSC６において、代行端末４から送信されたショート・メッセージ１１に対し、編集処理を施して、図２（ｂ）に示す内容のショート・メッセージ１２に書き替えてから、友人Ｂの端末８に送信するする第１の方法と、上述した編集をすることなく、従来と全く同様にショート・メッセージ１１を送信する第２の方法とがある。
【００３６】
そこで、まず、第１の方法について説明する。
図３は、図１に示した実施の形態において、第１の方法でアドレスを通知する動作を説明するためのフローチャートである。
図３（ａ）は、SMSC６における編集動作を説明するフローチャートであり、図３（ｂ）は、友人Ｂの端末８における電子メールアドレス登録動作を説明するフローチャートである。
【００３７】
図３（ａ）のフローチャートは、SMSC６が、代行端末４からショート・メッセージ１１を受信したときに起動する。SMSC６は、第１携帯電話網に属する代行端末４の携帯電話番号をメモリに予め記憶している。
Ｓ２１において、受信したショート・メッセージ１１の送付元である「08012352222」は、第１の携帯電話網に属する代行端末４の携帯電話番号であるか否かを判定する。そうであれば、Ｓ２２に処理を進め、そうでなければ編集動作を終了する。
【００３８】
Ｓ２２において、図２（ａ）に示すショート・メッセージ１１の本文に携帯電話番号が含まれているか否かを、携帯電話番号のデータ形式を満足しているか（例えば、「0」から始まる10桁以上24桁以内であって、携帯電話端末に割り当てられた番号）に基づいて判定する。
携帯電話番号が含まれていれば、Ｓ２３に処理を進め、含まれていなければ編集処理を終了する（さらに、このショート・メッセージ１１の送信を禁止してもよい）。
図２（ａ）に示したフォーマット例では、メール本文の最初の行に携帯電話番号が含まれていることを条件にしてもよい。
【００３９】
Ｓ２３において、ショート・メッセージ１１の送付元（From:）を、電子メール本文に含まれていた携帯電話番号「08012341111」（ユーザＡの端末の携帯電話番号）に書き替える。
Ｓ２４において、本文に含まれていた「電話番号08012341111」を削除する。
その結果、図２（ａ）に示したショート・メッセージ１１は、図２（ｂ）に示した電子メール（ショート・メッセージ）１２に編集されて友人Ｂの端末８に送信される。このＳ２４の処理は省略してもよい。
【００４０】
図３（ｂ）に示すフローチャートは、友人Ｂの端末８が、ショート・メッセージ１２を受信し、端末８のディスプレイに表示した後に起動する。
Ｓ３１において、図２（ｂ）に示したショート・メッセージ１２の送付元「08012341111」は、アドレス帳８ｂに登録されている複数の携帯電話番号の内の１つであるか否かを判定する。そうであればＳ３２に処理を進め、そうでなければ処理を終了する。
【００４１】
Ｓ３２において、受信したショート・メッセージ１２の本文に電子メールアドレスが含まれているか否かを、電子メールアドレスのデータ形式を満たしているか（例えば、半角英数字の後に@があって、キャリアに割り当てられているドメイン名がある）に基づいて判定する。満たしていればＳ３３に処理を進め、満たしていなければ処理を終了する。
【００４２】
Ｓ３３において、ディスプレイを確認画面に切り替え、本文に含まれている電子メールアドレス「xxx@kk…k.ne.jp」と、送付元の携帯電話番号「08012341111」を表示する。
本文に含まれている電子メールアドレスを登録するか否かの確認を、この端末８のユーザである友人Ｂに求める。
そのため、ディスプレイ上にソフトキー「登録ボタン」、「登録しないボタン」を表示するか、端末８の数字キー１，２に、登録する、登録しないの機能を割り付けておいてもよい。
なお、現在のアドレス帳８ｂに、携帯電話番号に関連付けてオーナー名「Ａ」が登録されていたり、携帯電話番号に関連付けて元の電子メールアドレス（端末２に割り当てられた［aaa@11…1.ne.jp］）が関連付けて登録されていたりすれば、これらも併せて表示するとよい。
【００４３】
Ｓ３４において、ソフトキーにカーソルを合わせて確定操作がなされたり、数字キーの押圧操作がなされたりして、ユーザによる登録許可操作がなされたか否かを判定する。
登録許可操作がなされたときはＳ３５に処理を進め、登録を許可しない操作がなされたときは、Ｓ３６に処理を進める。
Ｓ３５において、本文に含まれた電子メールアドレス「xxx@kk…k.ne.jp」を、図１に示したアドレス帳８ｂに登録されていた、送付元の携帯電話番号「0802341111」に関連付けて登録する。アドレス帳８ｂは、アドレス帳８ｂ’に示すものとなる。
【００４４】
ここで、図１のアドレス帳８ｂのように、送付元の携帯電話番号「0802341111」に関連付けられた電子メールアドレスが未登録であった場合は、新たに電子メールアドレスが登録される。
一方、送付元の携帯電話番号に関連付けられて、元の端末２に割り付けられた電子メールアドレスが登録されていた場合もあり得る。この場合は、元の電子メールアドレスが新たな電子メールアドレスによって書き替えられる。
両方の場合を含めて「登録」と表現している。
【００４５】
その際、携帯電話番号に関連づけて、携帯電話端末に割り付けられた電子メールアドレス以外に、インターネットプロバイダが提供する電子メール・サーバ内にあるメール・ボックスを指示する電子メールアドレスが登録されている場合がある。
しかし、登録（新規あるいは書き替え）の対象とする電子メールアドレスは、携帯電話網のキャリアにより割り当てられた電子メールアドレスである。電子メールアドレスの、@マーク以後のドメイン名を参照することにより、キャリアにより割り当てられたものか否かが判別できる。
【００４６】
Ｓ３６において、端末８のディスプレイを、確認画面前の、すなわち、電子メールの表示画面に戻して処理を終了する。
なお、上述したＳ３３，Ｓ３４，Ｓ３６の処理を省略し、Ｓ３１，Ｓ３２の条件が満たされれば、自動的に電子メールアドレスが登録されるようにしてもよい。
【００４７】
上述した説明では、SMSC６において、ショート・メッセージの送付元を、本文に含まれている携帯電話番号に書き替えるという編集処理を行った。これに代えて、本文に含まれている携帯電話番号をショート・メッセージのヘッダ領域など、本文とは異なる領域にコピーしたり、移動させたりしてもよい。この場合、相手先の端末（友人Ｂの端末８）において、相手先の端末において、上述した携帯電話番号を、本文から抽出するよりも簡単に取得することができる。
【００４８】
図４は、図１に示した実施の形態において、第２の方法でアドレスを通知する動作を説明するためのフローチャートである。ユーザＢの端末８に内蔵されたCPUが制御プログラムを実行することにより実現される。
第２の方法とは、SMSC６において、従来と全く同様に、図２（ａ）に示した電子メール（ショート・メッセージ）１１を中継するというものである。２つの例を説明する。
【００４９】
図４（ａ）は、第２の方法の第１の例を示すフローチャートである。このフローチャートは、友人Ｂの端末８が、第１の携帯電話網５を経由して、SMSC６から電子メール（ショート・メッセージ）１１を受信し、受信したショート・メッセージ１１を、友人Ｂの端末８のディスプレイに表示した後に起動する。友人Ｂの端末８は、代行端末４の携帯電話番号をメモリに予め記憶している。
【００５０】
Ｓ４１〜Ｓ４４において、図３（ａ）のＳ２１〜Ｓ２４と同様の処理をする。
Ｓ４５において、書き替えられた後のショート・メッセージ１１を、友人Ｂの端末８のディスプレイに表示する。
Ｓ４６〜Ｓ５１において、図３（ｂ）のＳ３１〜Ｓ３６と同様の処理をする。
【００５１】
図４（ａ’）は、図４（ａ）に示した第２の方法について、上述した第１の例を簡略化した第２の例を示すフローチャートである。
このフローチャートは、図４（ａ）のフローチャートと同じ条件で起動し、Ｓ６１，Ｓ６２においては、図４（ａ）のＳ４１，Ｓ４２と同じ処理を実行する。
Ｓ６３において、本文に含まれた携帯電話番号は、図１のアドレス帳８ｂに登録されている複数の携帯電話番号の１つであるか否かを判定し、そうであればＳ６４に処理を進め、そうでなければ処理を終了する。
Ｓ６４において、本文に電子メールアドレスが含まれていれば、Ｓ６５に処理を進め、含まれていなければ処理を終了する。
【００５２】
Ｓ６５において、確認画面に切り替えて、本文に含まれている電子メールアドレスと、本文に含まれている携帯電話番号（本文に含まれている電子メールアドレスが割り当てられた端末の携帯電話番号）を表示して、登録するか否かの確認を友人Ｂに求める。
なお、現在のアドレス帳８ｂに、携帯電話番号に関連付けてオーナー名「Ａ」が登録されていたり、元の電子メールアドレスが登録されていたりすれば、これらも併せて表示するとよい。
Ｓ６６において、登録許可操作がなされたときはＳ６７に処理を進める。
Ｓ６７においては、本文に含まれた電子メールアドレスを用いて、アドレス帳８ｂに登録されている、本文に含まれた携帯電話番号に関連付けて電子メールアドレスを登録する。アドレス帳８ｂは、アドレス帳８ｂ’に示すものとなる。
【００５３】
Ｓ６８において、ディスプレイを確認画面前の表示画面、すなわち、電子メールを受信したときの表示画面に戻して処理を終了する。
なお、図４（ａ）におけるＳ４８，Ｓ４９，Ｓ５１の処理、図４（ａ’）におけるＳ６５，Ｓ６６，Ｓ６８の処理を省略し、登録条件が満たされれば、電子メールアドレスが自動的に登録されるようにしてもよい。
【００５４】
図５は、図１に示した実施の形態において、アドレス通知を送付した相手先の携帯電話端末から返信される電子メール７１（アドレス登録通知）の内容を示す説明図である。説明図であるため、実際に送信される電子メールのデータそのものではない。
送付先として、図１に示した例では、第１の携帯電話網５の外にあるWebサーバを指定する。そのため、返信用の電子メールとしては、ショート・メッセージを使用できない。送付先のWebサーバに適した形式のメッセージ（電子メール）を用いる。
【００５５】
送付元（From:）として、アドレス通知の送付先であった友人Ｂの電子メールアドレス「bbb@11…1.ne.jp」が記載される。これは、友人Ｂの端末８に記憶されたオーナー情報８ａから読み出される。
アドレス登録通知の送付先（To:）は、図２（ａ），図２（ｂ）に示した、アドレス通知のショート・メッセージ１１又は１２の本文中に含まれていた返信先のURLであって、代行端末制御サーバ３のURLである。
このURLを電子メール本文から取得するには、例えば、電子メール本文から、「http://」で始まる英数字列を抽出すればよい。さらに、本文の最後に記載されている等の検出条件を加えてもよい。
【００５６】
アドレス登録通知の送付先は、代行端末制御サーバ３からアクセス可能な、他のサーバ装置のURLであってもよい。
また、送付先は、電子メールアドレスにしてもよい。この場合、代行端末制御サーバ３は、電子メールアドレスで指定される電子メール・ボックスの所在する電子メール・サーバにアクセスし、アドレス登録通知を取得すればよい。
【００５７】
ここで、代行端末制御サーバ３は、ユーザＡのアドレス帳２に登録されている多数の携帯電話番号の端末に電子メールアドレス通知をしたり、ユーザＡとは異なる他のユーザのアドレス帳に登録された携帯電話番号に対して電子メールアドレス通知をしたりしている。
そのため、代行端末制御サーバ３が電子メール７１（アドレス登録通知）を取得したときに、これが、どの端末に割り当てられた電子メールアドレスを通知する電子メールに対し、どの端末がアドレス登録通知を返信してきたかを特定する必要がある。そのため、電子メール７１に、これを特定する特定データを含んでいる必要がある。
【００５８】
図５に示した一例では、電子メール７１の本文に、特定データとして、通知された電子メールアドレスが割り当てられた端末の携帯電話番号（ユーザＡの端末１の携帯電話番号「0802341111」）と、電子メールアドレス通知の送付先であった端末８の携帯電話番号「08012365555」とが含まれている。
【００５９】
図６は、図１に示した実施の形態において、アドレス通知を受けた携帯電話端末が、電子メールアドレス登録通知をし、これに応じて、代行端末制御サーバが電子メールアドレスを登録する動作を説明するためのフローチャートである。
図６（ａ）は、友人Ｂの端末８における、電子メールアドレス登録通知の動作を説明するフローチャートである。ユーザＢの端末８に内蔵されたCPUが制御プログラムを実行することにより実現され、アドレス帳８ｂに、携帯電話番号と関連付けて電子メールアドレスを登録したときに起動する。
【００６０】
Ｓ８１において、受信した電子メールアドレス通知の本文にURLが含まれていたか否かを判定し、そうであればＳ８２に処理を進め、そうでなければ処理を終了する。
Ｓ８２において、ディスプレイの表示画面を、電子メールアドレスの登録通知をするか否かを決めるための確認画面に切り替える。画面に、ソフトキーとして、通知をするボタンと通知をしないボタンとが表示されるようにしてもよいし、数字キーに通知する通知しないの機能を割り付けてもよい。
自身の電子メールアドレスも通知される旨を表示してもよい。
Ｓ８３において、登録通知許可操作があったときはＳ８４に、登録通知を許可しない操作があったときはＳ８６に処理を進める。
【００６１】
Ｓ８４において、オーナー情報８ａから、自身の電子メールアドレス「bbb@11…1.ne.jp」を読み出す。
Ｓ８５において、送付元（From:）を自身の電子メールアドレス、送付先（To:）を電子メールアドレス通知の本文に含まれたURL「http://….ne.jp」とし、通知した電子メールアドレスが割り当てられた端末の携帯電話番号（ユーザＡの端末１の携帯電話番号「0801234111」）と、電子メールアドレス通知の送付先であった携帯電話番号（友人Ｂの端末８の携帯電話番号「08012365555」）とを本文に含む電子メールアドレス登録通知（図５の電子メール７１）を送信する。
【００６２】
Ｓ８６において、ディスプレイを確認画面前の表示画面、すなわち、Ｓ８２で切り替える前の電子メール表示画面に戻して処理を終了する。
なお、上述したＳ８２，Ｓ８３，Ｓ８６の処理を省略し、Ｓ８１の条件が満たされれば、自動的に電子メールアドレス登録通知を送信するようにしてもよい。
【００６３】
図６（ｂ）は、電子メールアドレス登録通知を受けた代行端末制御サーバ３における、電子メールアドレス登録動作を説明するためのフローチャートである。
代行端末制御サーバ３に内蔵されたCPUが制御プログラムを実行することにより実現され、図５に示した電子メールアドレス登録通知の電子メール７１を受信したときに起動する。
代行端末制御サーバ３は、先に電子メールアドレス通知をさせるときに、読み込んだアドレス帳２ｂと、端末１の携帯電話番号（端末２の携帯電話番号と同じ）をメモリに保存している。
【００６４】
Ｓ９１において、受信した電子メール７１（図５）の本文に携帯電話番号が含まれているか否かを判定し、そうであればＳ９２に処理を進め、そうでなければ処理を終了する。
Ｓ９２において、電子メール７１の本文から、「最初の携帯電話番号」と「次の携帯電話番号」を取得する。
図示の例では、「最初の携帯電話番号」として、電子メールアドレス通知の送付先の携帯電話番号（友人Ｂの端末８の携帯電話番号）が記載されている。「次の携帯電話番号」として、通知した電子メールアドレスが割り当てられた端末の携帯電話番号（端末１及び端末２の携帯電話番号）が記載されている。
【００６５】
Ｓ９３において、代行端末制御サーバ３に、「次の携帯電話番号」の端末（端末１及び端末２）を所有するユーザ（ユーザＡ）のアドレス帳（アドレス帳２ｂ相当）が記憶されているか否かを判定し、そうであればＳ９４に処理を進め、そうでなければ処理を終了する。ユーザＡのアドレス帳２ｂは、アドレス通知に用いたので代行端末制御サーバ３に保存されている。
Ｓ９４において、記憶されているアドレス帳に、「最初の携帯電話番号」が登録されているか否かを判定し、そうであればＳ９５に処理を進め、そうでなければ処理を終了する。
【００６６】
Ｓ９５において、受信した電子メール（図５の電子メール７１）を保存する。
Ｓ９６において、先にＳ９５にて保存された電子メールに基づいて、電子メールアドレスを通知した相手先の端末（友人Ｂの端末８）から返信先アドレスに受信された電子メール（図５の電子メール７１）に含まれた、送付元の電子メールアドレス（bbb@11…1.ne.jp）を取得し、この送付元の電子メールアドレスを、「最初の携帯電話番号」（相手先の端末の携帯電話番号）（友人Ｂの端末の携帯電話番号08012365555）に関連づけて、保存されている、「次の携帯電話番号」の端末（端末１及び端末２）を所有するユーザ（ユーザＡ）のアドレス帳（アドレス帳２ｂ相当）に登録する。
【００６７】
Ｓ９７において、このアドレス帳（アドレス帳２ｂ相当）において、「最初の携帯電話番号」（08012365555）に関連付けて登録済みのフラグを立てる。
【００６８】
なお、図６（ｂ）におけるＳ９３，Ｓ９４において、「次の携帯電話番号」と「最初の携帯電話番号」（図５を参照して説明した特定データ）について判定をしているのは、受信した電子メールが、先に、代行端末４から送信させた電子メールアドレス通知に応答した電子メールアドレス登録通知であることを確認するための一例である。
【００６９】
以上に説明した各ブロックの動作により、代行端末制御サーバ３は、複数の相手先にアドレス通知を行い、各相手先からアドレス登録通知を取得し、代行端末制御サーバ３に保存されているアドレス帳に登録された複数の各携帯電話番号に関連付けて、電子メールアドレスが登録される。
ユーザＡの端末１は、代行端末制御サーバ３に保存されている、電子メールアドレスが登録されたユーザＡのアドレス帳（登録処理済みのアドレス帳２ｂ）の転送を受け、これをアドレス帳１ｂとしてメモリに書き込む。
ユーザＡの端末１は、代行端末制御サーバ３から、直接に、あるいは、図７を参照して説明する登録用パーソナルコンピュータを介するなどして間接的に、電子メールアドレスが登録されたユーザＡのアドレス帳を取得する。
【００７０】
上述した説明では、代行携帯電話端末制御サーバ３に、ユーザＡのアドレス帳２ｂを転送した。これに代えて、ユーザＡがアドレス通知を必要とした相手先についてのみ、その携帯電話番号を代行携帯電話端末制御サーバ３に転送し、同様にして、電子メールアドレス登録通知を受信し、アドレス通知をした相手先の電子メールアドレスを取得し、アドレス通知をした相手先の携帯電話番号に関連付けて電子メールアドレスが登録されたアドレス帳１ｂを得るようにしてもよい。
【００７１】
図７は、図１に示した実施の形態において、電子メールアドレス相互登録サービスの全体動作を示す説明図である。
図中、図１と同様な部分には同じ符号を付している。
端末２はユーザＡが契約していた元の第1キャリア用の旧端末である。
ユーザＡが、ナンバポータビリティ制度を利用して契約するキャリアを第kキャリアに変更する。
【００７２】
（１）電子メールアドレス通知
ユーザＡが、第kキャリアのサービス拠点１０１にユーザＡの端末２を持ち込む。ユーザＡは、第kキャリアへと契約変更すると同時に、第kキャリアの端末１に買い換える。
端末２の携帯電話番号は、端末１の携帯電話番号に移行される。端末１には新しい電子メールアドレスが割り当てられる。
ユーザＡは、アドレス帳２ａ（図１）の旧端末２から新端末１への一括移行サービスと、メールアドレス相互登録サービスの提供を受ける。
【００７３】
ユーザＡの端末２と電子メールアドレス登録用パーソナルコンピュータ（以下、登録用PCと言う)１０２とをケーブルで接続し、アドレス帳２ｂに保存されて携帯電話番号を、１０２に転送する。
登録用PC１０２のディスプレイに、アドレス帳２ｂを一覧表示する。ユーザＡは、その中から、アドレス変更通知が必要と考える相手先（例えば、友人Ｂ）を選択する。
【００７４】
登録用PC１０２は、選択された相手先の携帯電話番号を、ユーザＡの端末１，端末２の携帯電話番号と、端末１に割り当てられた電子メールアドレスとともに、第kキャリアの社内LANを経由して代行端末制御サーバ３（図７に示す例では、第kキャリアのサーバとする）に転送する。
アドレス帳２ｂには、電子メールアドレスが既に登録されている相手の携帯電話番号が含まれていてもよい。
【００７５】
しかし、登録用PC１０２に転送したアドレス帳２ｂの中から、携帯電話番号は登録されているが、電子メールアドレスは登録されていないという条件を満たす相手先の携帯電話番号を抽出し、このような相手先の携帯電話番号のみを代行端末制御サーバ３に転送してもよい。
【００７６】
第kキャリアの代行端末制御サーバ３は、送付先の端末と同じキャリアと契約している（同じキャリアの携帯電話網に属している）代行端末を選択し、選択した代行端末にショート・メッセージ・サービスを用いた電子メールを送信させる。
第1キャリアから第nキャリア（n，kは正整数、1＜k＜n）まで存在するとし、図７では、そのうち、３キャリアを示している。代行端末４は、第1キャリア用のものであり、代行端末１０４は第kキャリア用、代行端末１０５は第nキャリア用のものである。
第kキャリアの代行端末制御サーバ３は、キャリア別に用意された代行端末４，１０５，１０６とともに、第kキャリアのサービス・センタ１０３にある。しかし、登録用PC１０２と代行端末制御サーバ３とを１台のサーバで兼用して、これを各サービス拠点１０１に設置してもよい。
【００７７】
電子メールアドレス通知をする送付先の端末が属している携帯電話網は、従来は、携帯電話番号体系に従って携帯電話番号から識別できる。従って、代行端末制御サーバ３は、携帯電話番号とキャリア（言い換えれば、携帯電話網）とが対応付けられたデータベースを記憶しておき、このデータベースを参照することにより、相手先のキャリア（携帯電話網）を特定することができる。しかし、ナンバポータビリティ制度が導入され、相手先が既にキャリアを変更していると、どのキャリアの携帯電話網に属しているかがわからなくなる。
【００７８】
従って、まず、上述したデータベースを参照し、相手先のキャリア（携帯電話網）を推定し、その結果に応じて、複数の代行端末４，１０４，１０５等の内から１つを選択し、ショート・メッセージを送信させる。
図示の例では、代行端末４，１０５，１０６は、それぞれ、友人Ｂの端末８，友人Ｃの端末１０７，友人Ｄの端末１０８にアドレス通知をする。相手先のキャリアの推定が間違っていれば、相手には電子メールアドレス通知が送信されない。
従って、ユーザＡは、アドレス登録通知がなされなかった相手には、通話により相手先に確認する方法をとればよい。
【００７９】
あるいは、ランダムな順番、あるいは、加入者数の多いキャリア（シェアの高いキャリア）の順番で代行端末を選択し、時間をずらせて最終的に全ての代行端末からアドレス通知を送信させてもよい。
その間、アドレス登録通知が受信されれば、その送付元の端末へのアドレス通知を終了するようにしてもよい。
【００８０】
あるいは、アドレス帳に携帯電話番号しか登録していないのは、相手先のキャリアが、元のユーザＡの旧端末２と同じキャリア（図示の例では、第1キャリア）の端末であった可能性が高い。そのため、上述したような、携帯電話番号は登録されているが、電子メールアドレスは登録されていないという条件を満たす相手先は、アドレス通知の実質的な送信元であるユーザＡが以前に契約していたキャリアの携帯電話番号である可能性が高い。
そのため、このような場合は、通知する電子メールアドレスが割り当てられた端末を所有しているユーザＡが以前に契約していたキャリア（図示の例では、第1キャリア）の代行端末４のみを選択するようにするか、この代行端末４を選択する順番を最初にしてもよい。
【００８１】
（２）送付先のアドレス帳における電子メールアドレス登録
各キャリアのショート・メッセージ・サービスセンタ（図１のSMSC６）において送付元の携帯電話番号を編集する第１の方法（図３）では、友人Ｂの端末８は、ショート・メッセージを受信すると、送付元の携帯電話番号「08012341111」からの電子メールであると解釈し、端末８に記憶しているアドレス帳（図１の８ｂ）の記憶内容と照合する。
【００８２】
ユーザＢの端末８において、受信したショート・メッセージの送付元の携帯電話番号がアドレス帳８ｂに登録されていれば、通知された電子メールアドレスを、送付元の携帯電話番号の端末に割り当てられた電子メールアドレスであるとして、ユーザの１クリック操作にて送付元の携帯電話番号に関連付けて登録する。
例えば、「数字キー1」を押せば、登録拒否、「数字キー２」を押せば、登録した上で、登録「完了通知」を送信する。
【００８３】
（３）電子メールアドレス登録通知
友人Ｂの端末８は、代行端末制御サーバ３にWebアクセスして、電子メールアドレス登録通知の電子メールを送信する。
代行端末制御サーバ３は、代行端末制御サーバ３内に保存しているユーザＡのアドレス帳（図１の２ｂ）において、電子メールアドレス登録通知に含まれた電子メールアドレスを、端末８の携帯電話番号に関連付けて登録する。
【００８４】
代行端末制御サーバ３は、登録が完了した場合、保存されているユーザＡのアドレス帳（図１の２ｂ）に、友人Ｂの電子メールアドレスを登録済であることを示すフラグを立てる。従って、保存されているアドレス帳の相手先毎に、キャリア変更に伴う電子アドレス通知が完了するとともに、相手先の電子メールアドレスの登録が完了したかどうかを、上述したフラグの有無により知ることができる。
【００８５】
（４）通知した電子メールアドレスが割り当てられた端末を所有するユーザのアドレス帳における電子メールアドレス登録
代行端末制御サーバ３により、複数の相手先にアドレス通知がなされ、これに応答して各相手先からアドレス登録通知が受信され、保存されているユーザＡのアドレス帳に各相手先の電子メールアドレスの登録がされるという、一連の処理が終了したと推定される頃に、登録用PC１０２から代行端末制御サーバ３にアクセスする。
登録用PC１０２は、各相手先の電子メールアドレスの登録がなされたユーザＡのアドレス帳を取得し、登録用PC１０２に記憶されているユーザＡのアドレス帳を書き替える。
ユーザＡの端末１は、書き替えられたユーザＡのアドレス帳を取得してアドレス帳１ｂ（図１）に書き込む。
ユーザＡも、また、上述したフラグの有無により、相手先毎に、キャリア変更に伴う電子アドレス通知が完了するとともに、相手先の電子メールアドレスの登録が完了したかどうかを知ることができる。
【００８６】
あるいは、１つの相手先に対し、代行端末制御サーバ３により、アドレス通知がなされ、これに応答して、代行端末制御サーバ３にアドレス登録通知が受信され、相手先の電子メールアドレスの登録が完了する度に、登録用PC１０２を介し、ユーザＡの端末１のアドレス帳２ｂに、この相手先の電子メールアドレスを転送してもよい。
【００８７】
上述した説明では、アドレス通知をする電子メールとして、ショート・メッセージ・サービスを利用していた。
しかし、一般的な電子メールであっても、送付元の携帯電話端末と送付先の携帯電話端末とが同じキャリアの同一携帯電話網に属する場合には、送付先として、携帯電話番号を用いることができる。
この場合、電子メールの先頭部分は新着メールの確認時に取得できるが、全文を取得するには、端末からメール・サーバにアクセスしてメール・ボックスから受信メールを取得しなければならない。一般的な電子メールは、図１に示したショート・メッセージ・サービスセンタ６ではなく、携帯電話網内の電子メール・サーバが、メッセージ・サービス・センタとなってサービスを実行する。
【００８８】
一般的な電子メールを用いた場合、送信オプションとして、返信先アドレスを指定できる。従って、返信先として、アドレス登録通知の送付先の電子メールアドレス（図１の例では、代行端末制御サーバがアクセス可能な電子メールアドレス）を記載すれば、返信メールとしてアドレス登録通知をすることができる。
【００８９】
上述した説明では、携帯電話番号ポータビリティ制度に伴う、電子メールアドレス変更通知について説明した。
しかし、電子メールアドレスが変更されていないときでも、送付元の端末に割り当てられた電子メールアドレスを送付先の相手に通知し、送付先の相手の端末に割り当てられた電子メールアドレスを送付元に通知する必要がある場合に適用することができる。この場合、図１，図７に示したユーザＡの端末１と端末２とは同一の端末であり、アドレス帳２ｂの内容がアドレス帳１ｂに書き替えられる。
【００９０】
上述した説明では、送付元の携帯電話番号と送付先の携帯電話番号を用いて、まず、アドレス通知により送付元の端末に割り当てられた電子メールアドレスを送付先の相手に通知し、次に、送付先からのアドレス登録完了通知により、送付先の相手の端末に割り当てられた電子メールアドレスを送付元に通知していた。
しかし、上述したアドレス通知のみとして、送付元の端末に割り当てられた電子メールアドレスを通知するだけでよい場合もある。
また、代行端末制御サーバは、上述した電子メールアドレス通知に、端末に割り当てられた電子メールアドレスを含まないようにして、これを代行端末に送信させ、送付先の相手の端末に割り当てられた電子メールアドレスを通知するように要求し、送付先の相手から、相手の端末に割り当てられた電子メールアドレスを代行端末制御サーバに通知させるようにしてもよい。
【図面の簡単な説明】
【００９１】
【図１】本発明の実施の一形態の概要を説明するブロック構成図である。
【図２】図１に示した実施の形態において、アドレスを通知する電子メールの内容を示す説明図である。
【図３】図１に示した実施の形態において、第１の方法でアドレスを通知する動作を説明するためのフローチャートである。
【図４】図１に示した実施の形態において、第２の方法でアドレスを通知する動作を説明するためのフローチャートである。
【図５】図１に示した実施の形態において、アドレス通知を送付した相手先の携帯電話端末から返信されるアドレス登録通知の電子メール７１の内容を示す説明図である。
【図６】図１に示した実施の形態において、アドレス通知を受けた携帯電話端末が、電子メールアドレス登録通知をし、これに応じて、代行端末制御サーバが電子メールアドレスを登録する動作を説明するためのフローチャートである。
【図７】図１に示した実施の形態において、電子メールアドレス相互登録サービスの全体動作を示す説明図である。
【符号の説明】
【００９２】
１…ユーザＡ（第１のユーザ）の端末（第１の携帯電話端末）、２…ユーザＡの端末（第３の携帯電話端末）、３…代行端末制御サーバ、４…代行端末、５…第１携帯電話網、６…ショート・メッセージ・サービス・センタ、７…ゲートウエイ、８…友人Ｂの端末（第２の携帯電話端末）、
１１，１２…電子メール（電子メールアドレスを通知するショート・メッセージ）、７１…電子メール（アドレス登録通知をする通常の電子メール）、
１０１…第kキャリアのサービス拠点、１０２…登録用PC、１０３…第kキャリアのサービス・センタ、１０４…代行端末（第1キャリア用）、１０５…代行端末（第kキャリア用）、１０６…代行端末（第nキャリア用）、１０７…友人Ｃの端末（第kキャリア用）、１０８…友人Ｄの端末（第nキャリア用）
【図１】
2008099006.tif 000003
【図２】
2008099006.tif 000004
【図３】
2008099006.tif 000005
【図４】
2008099006.tif 000006
【図５】
2008099006.tif 000007
【図６】
2008099006.tif 000008
【図７】
2008099006.tif 000009